(57)【特許請求の範囲】
【請求項１】
オーディオソースを再生する再生手段と、前記再生手段をオン／オフする電源スイッチと、表示手段と、
前記電源スイッチが操作されたときまたは所定のオン時刻が到来したとき前記再生手段を起動する制御手段と、
を備えたタイマ機能付きオーディオ装置であって、
前記制御手段は、前記オン時刻到来前のスタンバイ中は前記表示手段に現在時刻を表示し、前記電源スイッチの操作に応じて前記再生手段を起動したときは前記表示手段に現在時刻を表示せずにオーディオソース情報を表示し、前記オン時刻が到来して前記再生手段を起動したときは前記表示手段に現在時刻および前記オーディオソース情報の一部を並列に表示するタイマ機能付きオーディオ装置。
【請求項２】
前記制御手段は、前記オン時刻が到来して前記表示手段に現在時刻および前記オーディオソース情報の一部を並列に表示しているとき、所定の解除操作に対応して前記表示手段に前記オーディオソース情報のみの表示に切り換える請求項１に記載のタイマ機能付きオーディオ装置。
【発明の詳細な説明】
【０００１】
【発明の属する技術分野】
この発明は、タイマ機能付きオーディオ・ヴィジュアル装置の電源オン時の表示態様の改善に関する。
【０００２】
【発明が解決しようとする課題】
オーディオ・ヴィジュアル装置にはタイマ機能を備えたものがあり、このようなオーディオ・ヴィジュアル装置は時計を内蔵しているため、現在時刻の表示が可能である。大型のディスプレイや複数のディスプレイを備えた装置では現在時刻（時計）を表示する専用の表示エリアを確保することができるため、電源オン時、電源オフ時など動作モードにかかわらず時計表示をすることができる。
【０００３】
しかし、小型のディスプレイしか備えないオーディオ・ヴィジュアル装置では、装置の動作中にはオーディオ・ヴィジュアルソースに関する情報、たとえばＣＤのトラック番号と経過時間、受信している放送のバンドと周波数などの情報を表示する必要があるため、現在時刻を表示することができない。
【０００４】
通常のオーディオ・ヴィジュアル装置の使用時には時計表示がなくても利用者はそれほど不便を感じることはないが、オーディオ・ヴィジュアル装置をタイマ動作させて目覚まし代わりに使用する場合などはタイマ機能で電源がオンしたときに時計表示が消去されオーディオ・ヴィジュアルソース情報の表示に切り換わってしまうため、目を覚ました利用者がそのときの時刻を確認できないという問題点があった。このようなオーディオ・ヴィジュアル装置であっても所定の操作をすればディスプレイの表示を時計表示に切り換えることができるが、このような操作を目覚まし時にすることは極めて面倒であった。
【０００５】
この発明は、タイマによって装置の電源がオンされた場合でも、小型のディスプレイで現在時刻を表示できるようにしたタイマ機能付きオーディオ・ヴィジュアル装置を提供することを目的とする。
【０００６】
【課題を解決するための手段】
この発明は、オーディオ・ヴィジュアルソースを再生する再生手段と、再生手段をオン／オフする電源スイッチと、表示手段と、前記電源スイッチが操作されたときまたは所定のオン時刻が到来したとき前記再生手段を起動する制御手段と、を備えたタイマ機能付きオーディオ・ヴィジュアル装置であって、
前記制御手段は、前記オン時刻到来前のスタンバイ中は前記表示手段に現在時刻を表示し、電源スイッチの操作に応じて再生手段を起動したときは前記表示手段にオーディオ・ヴィジュアルソース情報を表示し、前記オン時刻が到来して再生手段を起動したときは前記表示手段に現在時刻および前記オーディオ・ヴィジュアルソース情報の一部を並列に表示することを特徴とする。
この発明は、前記制御手段が、前記オン時刻が到来して前記表示手段に現在時刻および前記オーディオ・ヴィジュアルソース情報の一部を並列に表示しているとき、所定の解除操作に対応して前記表示手段に前記オーディオ・ヴィジュアルソース情報のみの表示に切り換えることを特徴とする。
【０００７】
この発明は、現在時刻（時計）とオーディオ・ヴィジュアルソース情報を一緒に表示することができない程度の小型の表示手段を備えたオーディオ・ヴィジュアル装置に適用されるべき発明であり、電源がオフされているときは表示手段に現在時刻を表示し、通常モードで電源オンしているときはオーディオ・ヴィジュアルソース情報を表示する。ここで、この発明におけるオーディオ・ヴィジュアル装置は、オーディオソース、ヴィジュアルソースの両方を再生できる装置、および、オーディオソースまたはヴィジュアルソースの一方のみを再生できる装置の両方を含む概念であり、オーディオ・ヴィジュアルソース情報とは、たとえばＣＤのトラック番号と経過時間、ＤＶＤのチャプター番号と経過時間、受信している放送のバンド（ＡＭ、ＦＭ、ＴＶなど）と周波数などである。
一方、オン時刻が到来してタイマ機能によって電源をオンしたときは、再生するオーディオ・ヴィジュアルソースの情報を表示する必要があるが、それとともに利用者に対して現在時刻を知らせることも必要である。そこで、現在時刻を表示するとともに、表示手段が表示できる範囲でオーディオ・ヴィジュアルソース情報の一部を表示する。オーディオ・ヴィジュアルソース情報の一部とは、たとえばＣＤの場合トラック番号のみ、放送の場合にはバンドのみなどである。これにより、タイマ機能を目覚ましとして利用している利用者に現在時刻を知らせるとともにそのとき再生しているオーディオ・ヴィジュアルソースの情報も併せて知らせることができる。
また、所定の解除動作で通常モードに移行することにより、その後の通常の使用に支障が生じることがない。
【０００８】
【発明の実施の形態】
図１はこの発明の実施形態であるＣＤレシーバ装置の上面を示す外観図である。上面にはオーディオＣＤがセットされるＣＤトレイ１０、オーディオソースの情報や時刻を表示するＦＬディスプレイ１１のほか多数の操作子が設けられている。ＦＬディスプレイ１１は、１２桁のキャラクタディスプレイからなる小型のものである。
【０００９】
操作子の主なものは、装置の動作をスタンバイ状態／オン状態に切り換える電源スイッチ１２、ＣＤトレイを開閉するための開閉スイッチ１３、タイマ動作をセット／解除するためのタイマスイッチ１４、ＦＬディスプレイの表示内容を切り換えるためのディスプレイスイッチ１５、オーディオソースを切り換える入力切換スイッチ１６などである。電源スイッチ１２は、ハードウェア的に装置の電源をオン／オフするのではなく、ＣＤの再生やＦＭ放送の受信などのオーディオ再生機能（図２の信号処理回路部４、サーボ制御回路部５など）をオン／オフするスイッチであり、このスイッチのオン／オフにかかわらず装置の制御部であるＣＰＵ１（図２参照）は動作している。この説明ではオーディオ再生機能のオンを電源オン、オーディオ再生機能のオフ（スタンバイ）を電源オフという。
【００１０】
このＣＤレシーバ装置は、所定の操作で現在時刻のアジャストおよびタイマのオン時刻の設定をすることができる。設定されたオン時刻はＥＥＰＲＯＭ７（図２参照）に記憶される。タイマスイッチ１４をオンしてタイマモードにしたのち、電源スイッチ１２で電源をオフすると、タイマモードのスタンバイ状態になり、タイマ機能の動作（タイマ動作）を実行する。タイマモードでは、オン時刻が到来したとき電源をオンし、予め入力切換スイッチ１６で選択されているオーディオソースを再生する。そしてタイマモードの解除操作がされるまでタイマモードは有効であり、ディスプレイスイッチ１５をオンすればタイマモードが解除され通常モードに移行する。
【００１１】
なお、タイマ機能によって電源オンされたとき（タイマモードで動作中）は、入力切換スイッチ１６はスヌーズボタンとして機能する。すなわち、タイマ機能で電源がオンしたのちに利用者がこの入力切換スイッチ１６をオンすると、装置は所定時間（５分間）再生を中断し、この所定時間後に再生を再開する。これにより、タイマ機能を目覚ましに利用している利用者がスヌーズボタンを押すことで５分間だけ余分に眠ることができるようにしている。また、ＦＬディスプレイ１１には、電源オフ中は現在時刻が表示され（図４（Ｃ）参照）、通常モードの電源オン中はオーディオソース情報が表示される（図４（Ｂ）参照）。一方、タイマモードで電源オンしている間は、現在時刻とオーディオソース情報が並列に表示される（図４（Ａ）参照）。ただし、ＦＬディスプレイ１１は１２桁の小型のものであるため、現在時刻と並列に表示されるオーディオソース情報は簡略なものである。
【００１２】
図２は、同ＣＤレシーバ装置のブロック図である。装置の機能を制御するＣＰＵ１にはユーザ操作部２、メカ機構部３、信号処理電子回路部４、サーボ制御回路部５、表示器６およびＥＥＰＲＯＭ７が接続されている。ユーザ操作部２は、図１で説明した電源スイッチ１２、開閉スイッチ１３、タイマスイッチ１４、ディスプレイスイッチ１５、入力切換スイッチ１６などの各種スイッチ類を含んでいる。メカ機構部３はＣＤトレイ１０の蓋を開閉する機構を含んでいる。信号処理電子回路部４はＦＭ放送を受信したりオーディオ信号を増幅するなどの電子回路を含んでいる。サーボ制御回路５は、ＣＤの回転とヘッドの駆動を制御する回路である。また、ＣＰＵ１は内蔵時計６を有しており、タイマモード時には、この時計の計時に基づいて電源オンを制御する。ＥＥＰＲＯＭ７は、前記タイマのオン時刻などを記憶する。
【００１３】
図３のフローチャートおよび図４の表示例を参照して同ＣＤレシーバ装置の動作について説明する。
図３はタイマモード時の表示制御動作を示すフローチャートである。この処理は所定のインターバルで繰り返し実行される。タイマのオン時刻が到来するまでｓ１、ｓ２の判断でＦＬディスプレイ１１には図４（Ｃ）に示すように現在時刻を表示している（ｓ７：スタンバイ表示）。こののち、タイマのオン時刻が到来すると、オーディオソースの再生を開始するとともに（この実施形態ではＣＤの再生を開始するとともに）、ｓ１の判断でＦＬディスプレイ１１の表示を図４（Ａ）に示すような現在時刻とオーディオソース情報の表示に切り換える（ｓ５）。
【００１４】
このオーディオソースの表示は簡略なものである。すなわち、たとえばＣＤの再生中は通常モードの場合、図４（Ｂ）のようにトラック番号と経過時間を表示するが、タイマモード時における現在時刻との並列表示の場合にはトラック番号のみを表示する。
【００１５】
オン時刻が到来したのちは、ｓ１、ｓ２の判断で処理がｓ３、ｓ４に進むが、利用者がタイマモードの解除操作をするまではｓ５の現在時刻とオーディオソース情報の並列表示を継続し、利用者が解除操作をしたのちは、ｓ４、ｓ３の判断でＦＬディスプレイ１１に通常のパワーオン表示であるオーディオソース情報（図４（Ｂ）参照）を表示する（ｓ６）。また、タイマモード、通常モードにかかわらず電源がオフされた場合にはｓ２の判断でスタンバイ表示（ｓ７）に移行する。
【００１６】
ここで、タイマモードの解除はディスプレイスイッチ１５をオンすることで行うことができるが、これ以外にたとえばＣＤトレイ１０の蓋を開けるなどのオーディオソースの変更操作で自動的に解除するようにしてもよい。
また、この実施形態では、オーディオソースを再生するＣＤレシーバ装置について説明したが、この発明はオーディオソースまたはヴィジュアルソースをタイマ機能によって再生するどのような装置にも適用可能である。
【００１７】
【発明の効果】
以上のようにこの発明によれば、オーディオ・ヴィジュアル装置がタイマ機能でオンしたときには、オーディオ・ヴィジュアルソース情報の一部表示とともに時計表示をするようにしたことにより、タイマ機能を目覚ましとして利用している利用者に対して現在時刻を知らせることができ、時計がわりに使用することが可能になる。さらに、通常モードではオーディオ・ヴィジュアルソース情報を全部表示するため、オーディオ・ヴィジュアル装置としての使用に支障を来すことがない。
【図面の簡単な説明】
【図１】この発明の実施形態であるＣＤレシーバ装置の外観図
【図２】同ＣＤレシーバ装置の制御部のブロック図
【図３】同ＣＤレシーバ装置のタイマ動作を示すフローチャート
【図４】同ＣＤレシーバ装置のＦＬディスプレイの表示例を示す図
【符号の説明】
１…ＣＰＵ、２…ユーザ操作部、３…メカ機構部、４…信号処理電子回路部、５…サーボ制御回路部、６…内蔵時計、７…ＥＥＰＲＯＭ、
１０…ＣＤトレイ、１１…ＦＬディスプレイ、１２…電源スイッチ、１３…（ＣＤトレイの）開閉スイッチ、１４…タイマスイッチ、１５…ディスプレイスイッチ、１６…入力切換スイッチ
【図１】
0004830247.tif 000002
【図２】
0004830247.tif 000003
【図３】
0004830247.tif 000004
【図４】
0004830247.tif 000005